(57)【要約】【課題】プラグ表面を感温変色インクで覆い、プラグの作業温度が異常に高くなると、感温変色インクに変色が起こって警告作用を形成し、電線の着火などの危険を回避し、防災を行うことができるプラグの温度異常警告方法を提供する。【解決手段】伝熱ユニットを選択する。伝熱ユニットの表面を感温変色インクで覆う。上述の伝熱ユニットをプラグ上のプラグ作業温度を受け取ることができる位置に結合させる。感温変色インクが伝熱ユニットを介してプラグ作業温度を受け取り、その温度に基づき変色を起こす現象を利用してプラグの温度異常を警告する。【選択図】図１
2008052914.tif 000002
【特許請求の範囲】
【請求項１】
次のａ〜ｄに記載の手順を含むことを特徴とするプラグの温度異常警告方法。
ａ．伝熱ユニットを選択する。
ｂ．前記伝熱ユニットの表面を感温変色インクで覆う。
ｃ．前記伝熱ユニットをプラグ上の前記プラグの作業温度を受け取ることができる位置に結合させる。
ｄ．前記感温変色インクが前記伝熱ユニットを介して前記プラグの作業温度を受け取り、変色する現象を利用して前記プラグの温度異常を警告する。
【請求項２】
前記伝熱ユニットが、膜片、紙片、前記プラグに付加するもの、プラグに一体成型で設けられたもの、プラグの殼体、プラグの構成部材のうちのいずれかの形態であることを特徴とする請求項１に記載のプラグの温度異常警告方法。
【請求項３】
前記感温変色インクは、印刷、塗布、噴き付け、浸漬のうちのいずれか１つによって前記伝熱ユニットを覆ったことを特徴とする請求項１に記載のプラグの温度異常警告方法。
【請求項４】
前記伝熱ユニットが、前記プラグに組み込み、貼り付け、一体成型のうちのいずれかの１つの方法で結合されたことを特徴とする請求項１に記載のプラグの温度異常警告方法。
【請求項５】
前記伝熱ユニットと前記感温変色インクとの間に、別途色層を設け、前記感温変色インクが変色して透明になると、前記色層の色が露出されることを特徴とする請求項１に記載のプラグの温度異常警告方法。
【発明の詳細な説明】
【技術分野】
【０００１】
本発明は、プラグの温度異常警告方法に関し、詳細には、プラグの表面を感温変色インクで覆い、この感温変色インクがプラグの異常な作業温度に反応して色を変え、安全性の警告作用を形成するようにしたプラグの温度異常警告方法に関する。
【背景技術】
【０００２】
電気の不適切な使用は過負荷を招き、電線が短絡して事故を起こしやすいが、多くの短絡現象は事前にそれを検知することができないため、適時に使用者に警告することができない。電気機器の中には警報器が内蔵されているものがあるが、警報器内蔵型とすると製造コストが高くなってしまう。このほか、一部の電気機器には過負荷保護装置が設置されており、過負荷時に自動的に電力供給を遮断し、温度上昇や短絡を回避することができるが、この過負荷保護装置は電力遮断の機能しか備えていないため、電源回路の異常な温度上昇時に事前に使用者に警告し、電力遮断前に使用者に予め電源を正常にオフさせることはできず、過負荷保護装置の起動時に突然電力供給の遮断が起こり、電気機器の電源が突然オフになってしまい、そのときに行っている作業にダメージを与える（コンピュータデータ等）。
【０００３】
台湾実用新案公告第４４６１７７号の明細書に開示されている感温変色コンセント挟み片は、感温パウダーを混入した片体を利用し、温度変化に伴い異なる色を表示させ、コンセントが過負荷や電流過大等の原因で温度が上昇すると、コンセント挟み片がプラグの２本の金属刃を介し、熱を感知して変色を起こし、安全性の警告作用を形成している（特許文献１）。
【０００４】
【特許文献１】台湾実用新案公告第４４６１７７号
【発明の開示】
【発明が解決しようとする課題】
【０００５】
しかしながら、上記特許文献１に開示される「電源線負荷量用の温度センサ」は、独立した片体の形態であるため、紛失しやすく、プラグとコンセントの間に挟まれて設置されるため、警告効果がはっきりしないという問題がある。
【０００６】
そこで、本発明はこれに鑑みてなされたもので、その目的は、プラグ表面を感温変色インクで覆い、プラグの作業温度が異常に高くなると、感温変色インクに変色が起こることで警告作用を形成し、電線の着火などの危険を回避し、防災を行うことができるプラグの温度異常警告方法を提供することにある。
【課題を解決するための手段】
【０００７】
請求項１に係るプラグの温度異常警告方法は、上記課題を解決するために、次のａ〜ｄの手順を含むことを特徴とする。
ａ．伝熱ユニットを選択する。
ｂ．伝熱ユニットの表面を感温変色インクで覆う。
ｃ．前記伝熱ユニットをプラグ上のプラグ作業温度を受け取ることができる位置に結合させる。
ｄ．前記感温変色インクが前記伝熱ユニットを介してプラグ作業温度を受け取り、その温度に基づき変色を起こす現象を利用してプラグの温度異常を警告する。
【０００８】
請求項２に係るプラグの温度異常警告方法は、請求項１に係るプラグの温度異常警告方法において、前記伝熱ユニットが、膜片、紙片、前記プラグに付加されたもの、プラグに一体成型で設けられたもの、プラグの殼体、プラグの構成部材の形態のうちのいずれかの形態とするものである。
【０００９】
請求項３に係るプラグの温度異常警告方法は、請求項１に係るプラグの温度異常警告方法において、前記感温変色インクは、印刷、塗布、噴き付け、浸漬のうちのいずれか１つによって前記伝熱ユニットを覆ったことを特徴とするものである。
【００１０】
請求項４に係るプラグの温度異常警告方法は、請求項１に係るプラグの温度異常警告方法において、前記伝熱ユニットが、前記プラグに組み込み、貼り付け、一体成型のうちのいずれかの１つの方法で結合されたことを特徴とするものである。
【００１１】
また、請求項５に係るプラグの温度異常警告方法は、請求項１に係るプラグの温度異常警告方法において、前記伝熱ユニットと前記感温変色インクとの間に、別途色層を設け、前記感温変色インクが変色して透明になると、前記色層の色が露出されることを特徴とするものである。
【発明の効果】
【００１２】
本発明のプラグの温度異常警告方法によれば、感温変色インクがプラグ上に設けられているため、その警告表示効果がはっきりとしている。感温変色インクと伝熱ユニットとの間に色層を設けることにより、感温変色インクが高温で透明になると、この色層が完全に現れ、警告作用を発揮する。感温変色インクは様々な形態でプラグ上に付着させることができるため、各形態のプラグに適用することができる。
【発明を実施するための最良の形態】
【００１３】
以下、本発明の実施の形態を図面に基いて詳細に説明する。図１は、本発明のプラグの温度異常警告方法の手順を示すフローチャートである。図１に示すように、本発明のプラグの温度異常警告方法は次のａ〜ｄの手順を含む。
ａ．伝熱ユニットを選択する。
ｂ．前記伝熱ユニットの表面を感温変色インクで覆う。
ｃ．前記伝熱ユニットをプラグ上の前記プラグの作業温度を受け取ることができる位置に結合させる。
ｄ．前記感温変色インクが前記伝熱ユニットを介して前記プラグの作業温度を受け取り、変色する現象を利用して前記プラグの温度異常を警告する。
【００１４】
図２は、本発明の第１実施形態に係るプラグの斜視図である。第１実施形態のプラグ１においては、プラグ１の外縁に伝熱ユニット１１を設け、伝熱ユニット１１の外縁を感温変色インク２で覆う。感温変色インク２は、伝熱ユニット１１上に印刷するか、伝熱ユニット１１上に塗布するか、伝熱ユニット１１上に噴き付けるか、或いは伝熱ユニット１１を感温変色インク２内に浸漬し、感温変色インク２をその上に付着させるかのうちのいずれかの方法で設けることができる。また、第１実施形態においては、伝熱ユニット１１は色を有するプラスチック膜片とする。
【００１５】
プラグ１の作業温度が異常に高くなり、その温度が感温変色インク２の臨界変色温度に達するか、またはこれを超過すると、感温変色インク２が変色を起こして透明になり、感温変色インク２に覆われていた伝熱ユニット１１の色が現われる。上述の色の変化により、使用者に対して警告作用を形成することができる。
【００１６】
図３は、本発明の第２実施形態に係るプラグの断面図である。第２実施形態のプラグ１Ａにおいては、プラグ１Ａを上殼体１１Ａ及び下殼体１２Ａを含んで構成してある。また、上殼体１１Ａを直接銅片１３Ａに接触させてあるため、銅片１３Ａの作業温度を直接感知することができる。上殼体１１Ａの外側を感温変色インク２Ａで覆う。この感温変色インク２Ａは、直接印刷で上殼体１１Ａ上に設けることができる。
【００１７】
上述の上殼体１１Ａが受ける作業温度が、感温変色インク２Ａの臨界変色温度に達するかまたはこれを超えると、感温変色インク２Ａが透明になり、感温変色インク２Ａで覆われていた上殼体１１Ａの色が現れる。上殼体１１Ａが透明材質である場合は、プラグ１Ａ内部の銅片１３Ａ及びその他の構成部材が現れるため、やはり警告作用が形成される。
【００１８】
図４は、本発明の第３実施形態に係るプラグの斜視図である。第３実施形態のプラグ１Ｂにおいては、プラグ１Ｂは一体包覆成型とし、その上に凹み部１１Ｂを設け、凹み部１１Ｂに片体１２Ｂを嵌入して組み込み、片体１２Ｂに印刷で感温変色インク２Ｂを設けている。片体１２Ｂ上の感温変色インク２Ｂが、作業温度の上昇によって透明になり、感温変色インク２Ｂで覆われていた片体１２Ｂの色が現れ、これにより警告作用が形成される。
【００１９】
図５は、本発明の第４実施形態に係るプラグの斜視図である。第４実施形態のプラグ１Ｃにおいては、プラグ１Ｃの外縁に伝熱ユニット１１Ｃを設け、まず、この伝熱ユニット１１Ｃの外縁に色層１２Ｃを塗布し、さらにこの色層１２Ｃの外側に（印刷、塗布、噴き付け、浸漬などの方法で）感温変色インク２Ｃを設ける。なお、この色層１２Ｃは赤色（警告色）とし、感温変色インク２Ｃは緑色（安全色）とすることができる。感温変色インク２Ｃが、高温で緑色（安全色）から透明になると、色層１２Ｃの赤色（警告色）が現れて警告作用を強化することができる。
【図面の簡単な説明】
【００２０】
【図１】本発明のプラグの温度異常警告方法の手順を示すフローチャートである。
【図２】本発明の第１実施形態に係るプラグの斜視図である。
【図３】本発明の第２実施形態に係るプラグの断面図である。
【図４】本発明の第３実施形態に係るプラグの斜視図である。
【図５】本発明の第４実施形態に係るプラグの斜視図である。
【符号の説明】
【００２１】
１  プラグ
１１  伝熱ユニット
２  感温変色インク
１Ａ  プラグ
１１Ａ  上殻体
１２Ａ  下殻体
１３Ａ  銅片
２Ａ  感温変色インク
１Ｂ  プラグ
１１Ｂ  凹み部
１２Ｂ  片体
２Ｂ  感温変色インク
１Ｃ  プラグ
１１Ｃ  伝熱ユニット
１２Ｃ  色層
２Ｃ  感温変色インク
【図１】
2008052914.tif 000003
【図２】
2008052914.tif 000004
【図３】
2008052914.tif 000005
【図４】
2008052914.tif 000006
【図５】
2008052914.tif 000007